(57)【要約】【課題】効率良く編成作業を実施できる開催プログラム編成装置を提供する。【解決手段】開催プログラム編成装置１は、演題内容のリストを表示画面上において演題表示領域に表示させる演題リスト表示部と、ユーザー選択された所定の演題内容を演題表示領域からセッション表示領域へ移動させる演題移動処理部と、移動させた所定の演題内容を含む、複数の演題内容が集まって構成されるセッション内容のリストをセッション表示領域に表示させるセッションリスト表示部と、ユーザー選択された所定のセッション内容をセッション表示領域からテーブル表示領域に移動させるセッション移動処理部と、移動させた所定のセッション内容を含む複数のセッション内容を割り当てるための、セッション内容の開催場所と開催時間の対応関係を示すタイムテーブルをテーブル表示領域に表示させるタイムテーブル表示部とを備えている。【選択図】図７
2020140404.tif 000002
【特許請求の範囲】
【請求項１】
各種イベントにおける開催プログラムの編成を支援するための開催プログラム編成装置であって、
前記イベントの演題内容のリストを、表示画面上において第１表示領域となる演題表示領域に表示させる演題リスト表示部と、
ユーザー操作によって選択された所定の演題内容を前記表示画面上において前記演題表示領域から第２表示領域へ移動させる演題移動処理部と、
移動させた前記所定の演題内容を含む、複数の演題内容が集まって構成されるセッション内容のリストを、前記第２表示領域となるセッション表示領域に表示させるセッションリスト表示部と、
ユーザー操作によって選択された所定のセッション内容を前記セッション表示領域から、第３表示領域へ移動させるセッション移動処理部と、
移動させた前記所定のセッション内容を含む複数のセッション内容を割り当てるための、セッション内容の開催場所と開催時間の対応関係を示すタイムテーブルを、前記第３表示領域となるテーブル表示領域に表示させるタイムテーブル表示部と、を備え、
前記演題移動処理部は、ユーザー操作による選択を受け付けて、前記演題表示領域と前記セッション表示領域の間で前記所定の演題内容を移動させ、
前記セッション移動処理部は、ユーザー操作による選択を受け付けて、前記セッション表示領域と前記テーブル表示領域の間で前記所定のセッション内容を移動させることを特徴とする開催プログラム編成装置。
【請求項２】
学会における開催プログラムの編成を支援するために用いられ、
前記演題内容には発表者の情報が含まれ、前記セッション内容には座長の情報が含まれており、
前記セッション移動処理部によって前記所定のセッション内容が前記セッション表示領域から前記テーブル表示領域へ移動し、前記タイムテーブル上に割り当てられたことをキーとして、同じ開催時間において同じ座長又は発表者が重複して割り当てられていないか否かを判定する重複判定部をさらに備え、
前記タイムテーブル表示部は、同じ開催時間において同じ座長又は発表者が割り当てられていると判定された場合に、前記表示画面上において判定の結果をユーザー報知することを特徴とする請求項１に記載の開催プログラム編成装置。
【請求項３】
前記イベントの演題内容と、該演題内容の演題テーマに基づいて付与されるカテゴリーとの対応関係を示す演題／カテゴリー対応データを記憶する記憶部をさらに備え、
前記演題リスト表示部は、ユーザー操作による所定のカテゴリーの選択を受け付けて、前記演題／カテゴリー対応データを参照し、全ての演題内容の中から前記所定のカテゴリーが付与された前記演題内容を抽出した上で、抽出された前記演題内容のリストを前記演題表示領域に表示させることを特徴とする請求項２に記載の開催プログラム編成装置。
【請求項４】
前記演題内容には、前記カテゴリーの情報が含まれており、
前記演題移動処理部によって前記所定の演題内容が前記演題表示領域から前記セッション表示領域へ移動し、所定のセッション内容に割り当てられたことをキーとして、該所定のセッション内容において異なるカテゴリーが付与された演題内容が含まれていないか否かを演題毎に判定するカテゴリー判定部をさらに備え、
前記セッションリスト表示部は、前記所定のセッション内容において異なるカテゴリーが付与された演題内容が含まれていると判定した場合に、前記表示画面上において判定の結果をユーザー報知することを特徴とする請求項３に記載の開催プログラム編成装置。
【請求項５】
前記セッション内容には、前記カテゴリーの情報が含まれており、
前記重複判定部は、同じ開催時間において同じカテゴリーが付与されたセッション内容が、異なる開催場所で重複して割り当てられているか否かをセッション毎に判定し、
前記タイムテーブル表示部は、同じ開催時間において同じカテゴリーが付与されたセッション内容が割り当てられていると判定した場合に、判定の結果をユーザー報知することを特徴とする請求項３又は４に記載の開催プログラム編成装置。
【請求項６】
前記セッション表示領域において、ユーザー操作による所定のセッション内容の選択を受け付けて、選択された前記所定のセッション内容に含まれる演題内容の候補を前記表示画面上に提示するセッション詳細提示部をさらに備え、
該セッション詳細提示部は、前記演題内容の候補を発表順に並べて提示するとともに、ユーザー操作によって選択された所定の演題内容の順番を入れ替えて提示することを特徴とする請求項１乃至５のいずれか１項に記載の開催プログラム編成装置。
【請求項７】
各種イベントにおける開催プログラムの編成を支援するための開催プログラム編成方法であって、
コンピュータが、
前記イベントの演題内容のリストを、表示画面上において第１表示領域となる演題表示領域に表示させる演題リスト表示工程と、
ユーザー操作によって選択された所定の演題内容を前記表示画面上において前記演題表示領域から第２表示領域へ移動させる演題移動処理工程と、
移動させた前記所定の演題内容を含む、複数の演題内容が集まって構成されるセッション内容のリストを、前記第２表示領域となるセッション表示領域に表示させるセッションリスト表示工程と、
ユーザー操作によって選択された所定のセッション内容を前記セッション表示領域から、第３表示領域へ移動させるセッション移動処理工程と、
移動させた前記所定のセッション内容を含む複数のセッション内容を割り当てるための、セッション内容の開催場所と開催時間の対応関係を示すタイムテーブルを、前記第３表示領域となるテーブル表示領域に表示させるタイムテーブル表示工程と、を実行し、
前記演題移動処理工程では、ユーザー操作による選択を受け付けて、前記演題表示領域と前記セッション表示領域の間で前記所定の演題内容を移動させ、
前記セッション移動処理工程では、ユーザー操作による選択を受け付けて、前記セッション表示領域と前記テーブル表示領域の間で前記所定のセッション内容を移動させることを特徴とする開催プログラム編成方法。
【請求項８】
各種イベントにおける開催プログラムの編成を支援するための開催プログラム編成装置としてのコンピュータに、
前記イベントの演題内容のリストを、表示画面上において第１表示領域となる演題表示領域に表示させる演題リスト表示処理と、
ユーザー操作によって選択された所定の演題内容を前記表示画面上において前記演題表示領域から第２表示領域へ移動させる演題移動処理と、
移動させた前記所定の演題内容を含む、複数の演題内容が集まって構成されるセッション内容のリストを、前記第２表示領域となるセッション表示領域に表示させるセッションリスト表示処理と、
ユーザー操作によって選択された所定のセッション内容を前記セッション表示領域から、第３表示領域へ移動させるセッション移動処理と、
移動させた前記所定のセッション内容を含む複数のセッション内容を割り当てるための、セッション内容の開催場所と開催時間の対応関係を示すタイムテーブルを、前記第３表示領域となるテーブル表示領域に表示させるタイムテーブル表示処理と、を実行させ、
前記演題移動処理では、ユーザー操作による選択を受け付けて、前記演題表示領域と前記セッション表示領域の間で前記所定の演題内容を移動させ、
前記セッション移動処理では、ユーザー操作による選択を受け付けて、前記セッション表示領域と前記テーブル表示領域の間で前記所定のセッション内容を移動させることを特徴とする開催プログラム編成プログラム。
【発明の詳細な説明】
【技術分野】
【０００１】
本発明は、開催プログラム編成装置、開催プログラム編成方法及び開催プログラム編成プログラムに係り、特に、各種イベントにおける開催プログラムの編成を支援するための開催プログラム編成装置、開催プログラム編成方法及び開催プログラム編成プログラムに関する。
【背景技術】
【０００２】
従来、各種イベント、特に学会において演題の募集、登録からはじまり、登録された演題の査読、開催プログラムの編成、開催プログラムのオンライン公開、参加者の登録までインターネット上で一括して管理、閲覧することが可能なイベント開催支援システムが知られている。当該システムの中には、開催プログラムの編成作業にあたって、事務局の担当者らが効率良く作業できる機能を備えたものが提案されているところである（例えば、特許文献１参照）。
【０００３】
特許文献１に記載の学会プログラム編成システムでは、センターサーバと査読者用端末がネットワークを介して接続され、学会の開催プログラムを編成可能なシステムであって、出演者の発表、登壇において重複のない開催プログラムを作成可能であることが開示されている。
具体的には、同一の時間帯において同一の発表者又は座長の重複が生じているか否かを検出する検出手段と、発表者又は座長の重複を検出した場合に、開催プログラムの所定のセッション内において演題の順序を変更する順序変更手段と、当該順序変更手段によって当該重複が解消されない場合には、当該セッションの開催日時の変更を行う開催日時変更手段と、から主に構成されている。
【先行技術文献】
【特許文献】
【０００４】
【特許文献１】特開２００２−１２３６５２号公報
【特許文献２】特開２０１３−１８６４９７号公報
【発明の概要】
【発明が解決しようとする課題】
【０００５】
ところで、学術大会向けの開催プログラム編成装置では、ユーザー端末の表示画面上で、ポインティングデバイスを通じたユーザの直感的な操作に基づいて、例えば、セッション内において各演題の順番を入れ替える作業や、タイムテーブル上においてセッションをそのまま移動させて開催日時（開催場所）を変更させる作業等を効率良く実行できることが重要である。なお、「ユーザの直感的な操作」とは、ユーザーが直接的かつ感覚的に認識可能な操作のことを言う。
しかしながら、従来技術との比較において、表示画面上で開催プログラムの編成を実行するにあたり、更なるユーザー操作性の向上が望まれていた。
例えば、特許文献１に記載の学会プログラム編成システムでは、座長及び発表者の重複チェック機能、セッション内における演題の順序変更機能、セッションの開催日時変更機能等を備えてはいるものの、具体的な表示画面上でのユーザー操作性や、画面の表示態様について開示しているものではなく、更なる改善の余地があった。
また、特許文献２に記載のスケジュール設定装置では、スケジュール作成作業にあたってユーザーの操作負担を軽減すべく、コンテンツを一覧表示する一覧表示領域と、当該コンテンツのスケジュールを設定するための編集領域とからなるスケジュール設定画面を生成すること、上記一覧表示領域に表示された所定のコンテンツをドラッグし、上記編集領域において所定の時間に対応する位置にドロップすることで、当該コンテンツのスケジュールを設定することが開示されているものの、ユーザーの操作性をより向上させる余地が残されていた。特に、学術大会向けのプログラム編成ならではの操作性、機能性に特化したものではなかった。
【０００６】
本発明は、上記の課題に鑑みてなされたものであり、本発明の目的は、各種イベントにおける開催プログラムの編成にあたって、ユーザーが効率良く編成作業を実施することが可能な開催プログラム編成装置、開催プログラム編成方法及び開催プログラム編成プログラムを提供することにある。
また、本発明の他の目的は、特に学会（学術大会）向けの開催プログラムの編成を支援するために用いられる開催プログラム編成装置、開催プログラム編成方法及び開催プログラム編成プログラムを提供することにある。
【課題を解決するための手段】
【０００７】
前記課題は、本発明の開催プログラム編成装置によれば、各種イベントにおける開催プログラムの編成を支援するための開催プログラム編成装置であって、前記イベントの演題内容のリストを、表示画面上において第１表示領域となる演題表示領域に表示させる演題リスト表示部と、ユーザー操作によって選択された所定の演題内容を前記表示画面上において前記演題表示領域から第２表示領域へ移動させる演題移動処理部と、移動させた前記所定の演題内容を含む、複数の演題内容が集まって構成されるセッション内容のリストを、前記第２表示領域となるセッション表示領域に表示させるセッションリスト表示部と、ユーザー操作によって選択された所定のセッション内容を前記セッション表示領域から、第３表示領域へ移動させるセッション移動処理部と、移動させた前記所定のセッション内容を含む複数のセッション内容を割り当てるための、セッション内容の開催場所と開催時間の対応関係を示すタイムテーブルを、前記第３表示領域となるテーブル表示領域に表示させるタイムテーブル表示部と、を備え、前記演題移動処理部は、ユーザー操作による選択を受け付けて、前記演題表示領域と前記セッション表示領域の間で前記所定の演題内容を移動させ、前記セッション移動処理部は、ユーザー操作による選択を受け付けて、前記セッション表示領域と前記テーブル表示領域の間で前記所定のセッション内容を移動させること、により解決される。
上記構成により、従来と比較して、ユーザーが効率良く編成作業を実施可能な開催プログラム編成装置を実現することができる。
詳しく述べると、表示画面上において演題表示領域と、セッション表示領域と、テーブル表示領域とを表示した上で、演題内容を演題表示領域とセッション表示領域の間で自由に移動させることができ、セッション内容をセッション表示領域とテーブル表示領域の間で自由に移動させることができるため、ユーザの直感的な操作に基づいて、開催プログラムの編成作業を支援することができる。
【０００８】
このとき、学会における開催プログラムの編成を支援するために用いられ、前記演題内容には発表者の情報が含まれ、前記セッション内容には座長の情報が含まれており、前記セッション移動処理部によって前記所定のセッション内容が前記セッション表示領域から前記テーブル表示領域へ移動し、前記タイムテーブル上に割り当てられたことをキーとして、同じ開催時間において同じ座長又は発表者が重複して割り当てられていないか否かを判定する重複判定部をさらに備え、前記タイムテーブル表示部は、同じ開催時間において同じ座長又は発表者が割り当てられていると判定された場合に、前記表示画面上において判定の結果をユーザー報知すると良い。
上記のように、座長又は発表者の重複チェック機能、ユーザー報知機能を兼ね備えているため、特に学会（学術大会）向けの開催プログラムの編成作業にあたって、ユーザーが効率良く編成作業を実施することできる。
【０００９】
このとき、前記イベントの演題内容と、該演題内容の演題テーマに基づいて付与されるカテゴリーとの対応関係を示す演題／カテゴリー対応データを記憶する記憶部をさらに備え、前記演題リスト表示部は、ユーザー操作による所定のカテゴリーの選択を受け付けて、前記演題／カテゴリー対応データを参照し、全ての演題内容の中から前記所定のカテゴリーが付与された前記演題内容を抽出した上で、抽出された前記演題内容のリストを前記演題表示領域に表示させると良い。
上記構成により、演題内容を演題表示領域からセッション表示領域に移動させてセッション内容に割り当てるときに、当該演題内容をカテゴリー毎に分類した状態で表示することができるため、ユーザーが一層効率良く編成作業を実施することができる。
【００１０】
このとき、前記演題内容には、前記カテゴリーの情報が含まれており、前記演題移動処理部によって前記所定の演題内容が前記演題表示領域から前記セッション表示領域へ移動し、所定のセッション内容に割り当てられたことをキーとして、該所定のセッション内容において異なるカテゴリーが付与された演題内容が含まれていないか否かを演題毎に判定するカテゴリー判定部をさらに備え、前記セッションリスト表示部は、前記所定のセッション内容において異なるカテゴリーが付与された演題内容が含まれていると判定した場合に、前記表示画面上において判定の結果をユーザー報知すると良い。
上記構成により、所定のセッション内容において、異なるカテゴリーが付与された演題内容が含まれていないかを事前にチェックすることができる。しかも、タイムテーブル上にセッション内容を割り当てる作業よりも事前にユーザー報知がなされるため、ユーザーが一層効率良く編成作業を実施することができる。
【００１１】
このとき、前記セッション内容には、前記カテゴリーの情報が含まれており、前記重複判定部は、同じ開催時間において同じカテゴリーが付与されたセッション内容が、異なる開催場所で重複して割り当てられているか否かをセッション毎に判定し、前記タイムテーブル表示部は、同じ開催時間において同じカテゴリーが付与されたセッション内容が割り当てられていると判定した場合に、判定の結果をユーザー報知すると良い。
上記構成により、同じ開催時間において同じカテゴリーが付与されたセッション内容が割り当てられていることをユーザー報知するため、ユーザーが一層効率良く編成作業を実施することができる。
【００１２】
このとき、前記セッション表示領域において、ユーザー操作による所定のセッション内容の選択を受け付けて、選択された前記所定のセッション内容に含まれる演題内容の候補を前記表示画面上に提示するセッション詳細提示部をさらに備え、該セッション詳細提示部は、前記演題内容の候補を発表順に並べて提示するとともに、ユーザー操作による所定の演題内容の選択を受け付けて、選択された前記所定の演題内容の順番を入れ替えて提示すると良い。
上記構成により、タイムテーブル上にセッション内容を割り当てるにあたり、予め所定のセッション内容において演題内容の発表順を並べ替えておけるため、ユーザの直感的な操作に基づいて、ユーザーが一層効率良く編成作業を実施することができる。
【００１３】
また、各種イベントにおける開催プログラムの編成を支援するための開催プログラム編成方法であって、コンピュータが、前記イベントの演題内容のリストを、表示画面上において第１表示領域となる演題表示領域に表示させる演題リスト表示工程と、ユーザー操作によって選択された所定の演題内容を前記表示画面上において前記演題表示領域から第２表示領域へ移動させる演題移動処理工程と、移動させた前記所定の演題内容を含む、複数の演題内容が集まって構成されるセッション内容のリストを、前記第２表示領域となるセッション表示領域に表示させるセッションリスト表示工程と、ユーザー操作によって選択された所定のセッション内容を前記セッション表示領域から、第３表示領域へ移動させるセッション移動処理工程と、移動させた前記所定のセッション内容を含む複数のセッション内容を割り当てるための、セッション内容の開催場所と開催時間の対応関係を示すタイムテーブルを、前記第３表示領域となるテーブル表示領域に表示させるタイムテーブル表示工程と、を実行し、前記演題移動処理工程では、ユーザー操作による選択を受け付けて、前記演題表示領域と前記セッション表示領域の間で前記所定の演題内容を移動させ、前記セッション移動処理工程では、ユーザー操作による選択を受け付けて、前記セッション表示領域と前記テーブル表示領域の間で前記所定のセッション内容を移動させる開催プログラム編成方法も実現できる。
【００１４】
また、各種イベントにおける開催プログラムの編成を支援するための開催プログラム編成装置としてのコンピュータに、前記イベントの演題内容のリストを、表示画面上において第１表示領域となる演題表示領域に表示させる演題リスト表示処理と、ユーザー操作によって選択された所定の演題内容を前記表示画面上において前記演題表示領域から第２表示領域へ移動させる演題移動処理と、移動させた前記所定の演題内容を含む、複数の演題内容が集まって構成されるセッション内容のリストを、前記第２表示領域となるセッション表示領域に表示させるセッションリスト表示処理と、ユーザー操作によって選択された所定のセッション内容を前記セッション表示領域から、第３表示領域へ移動させるセッション移動処理と、移動させた前記所定のセッション内容を含む複数のセッション内容を割り当てるための、セッション内容の開催場所と開催時間の対応関係を示すタイムテーブルを、前記第３表示領域となるテーブル表示領域に表示させるタイムテーブル表示処理と、を実行させ、前記演題移動処理では、ユーザー操作による選択を受け付けて、前記演題表示領域と前記セッション表示領域の間で前記所定の演題内容を移動させ、前記セッション移動処理では、ユーザー操作による選択を受け付けて、前記セッション表示領域と前記テーブル表示領域の間で前記所定のセッション内容を移動させる開催プログラム編成プログラムも実現できる。
【発明の効果】
【００１５】
本発明の開催プログラム編成装置、開催プログラム編成方法及び開催プログラム編成プログラムによれば、各種イベントにおける開催プログラムの編成にあたって、ユーザーが効率良く編成作業を実施することができる。
また、特に学会向けの開催プログラムの編成を目的として、ユーザの直感的な操作に基づいて、開催プログラムの編成作業を支援することができる。
【図面の簡単な説明】
【００１６】
【図１】本発明に係る開催プログラム編成システム全体の構成図である。
【図２】開催プログラム編成装置及びユーザー端末のソフト構成図である。
【図３】ユーザー端末の表示画面の一例を示す図である。
【図４】演題リスト表示処理の一例を示す図である。
【図５】セッション詳細提示処理の一例を示す図である。
【図６】演題移動処理、カテゴリー判定処理の一例を示す図である。
【図７】セッション移動処理、重複判定処理の一例を示す図である。
【図８】本発明に係る開催プログラム編成プログラムの処理の一例を示すフロー図である。
【発明を実施するための形態】
【００１７】
以下、本発明に係る実施形態について図１〜図８を参照して説明する。
本実施形態は、学会向けの開催プログラム編成装置であって、演題内容のリストをユーザー端末の表示画面上において「演題表示領域」に表示させる演題リスト表示部と、ユーザー操作によって選択された所定の演題内容を演題表示領域から「セッション表示領域」へ移動させる演題移動処理部と、移動させた所定の演題内容を含む、複数の演題内容が集まって構成されるセッション内容のリストを「セッション表示領域」に表示させるセッションリスト表示部と、ユーザー操作による所定のセッション内容の選択を受け付けて、選択された所定のセッション内容をセッション表示領域から「テーブル表示領域」に移動させるセッション移動処理部と、移動させた所定のセッション内容を含む複数のセッション内容を割り当てるための、セッション内容の開催場所と開催時間の対応関係を示すタイムテーブルを「テーブル表示領域」に表示させるタイムテーブル表示部と、を備えており、演題移動処理部が、ユーザー操作による選択を受け付けて、演題表示領域とセッション表示領域の間で所定の演題内容を移動させ、セッション移動処理部が、ユーザー操作による選択を受け付けて、セッション表示領域とテーブル表示領域の間で所定のセッション内容を移動させることを特徴とする発明に関するものである。
【００１８】
本実施形態となる開催プログラム編成システムＳ全体の構成を図１に示す。
開催プログラム編成システムＳは、学会（学術大会）における開催プログラムの編成を支援するための開催プログラム編成装置１と、開催プログラム編成装置１とネットワークを通じて接続され、当該学会の事務局の担当者等のユーザーによって保有されるユーザー端末１００と、から主に構成されている。
なお、本システムＳは、「学会」における開催プログラムの編成作業を支援するものに限定されることなく、「各種イベント」における開催プログラムの編成作業において広く用いることが可能である。
ここで「各種イベント」とは、学会や研究会、学術集会のほか、セミナーやワークショップ、シンポジウム、展示会、業界系の総会、政府系の会合、国際会議等が挙げられ、各種催し物や行事等が広く含まれるものである。
【００１９】
開催プログラム編成装置１は、ネットワークを介して接続されるユーザー端末１００に対して、ソフトウェアサービスを提供するクラウドサーバーである。
具体的には、開催プログラムの編成作業に関するソフトウェアサービスをユーザー端末１００に対して提供するものである。詳しく述べると、ユーザー端末１００に対して開催プログラムの編成画面（以下、プログラム編成画面）を提示し、ユーザー操作の入力又は選択を受け付けてプログラム編成画面をリアルタイムで更新させて、複数のユーザーが開催プログラムの編成作業を同時に実施できるように支援する。
また、開催プログラム編成装置１は、顧客となる学会事務局の担当者のほか、座長、発表者、参加者等から入手した種々の顧客データを管理しておくための顧客管理用データサーバーとしての機能と、開催プログラムの編成作業を支援するための各種プログラム及び各種データを管理しておくための開催プログラム編成作業用データサーバーとしての機能と、を有している。
【００２０】
ユーザー端末１００は、学会事務局の担当者等のユーザーによって操作される情報端末であって、具体的には、ＰＣ、タブレット端末、スマートフォン等のコンピュータである。
ユーザー端末１００は、開催プログラム編成装置１とネットワークを介して接続され、開催プログラム編成装置１からソフトウェアサービスの提供を受けるものである。
具体的には、ユーザー操作による演題内容やセッション内容、座長や発表者の情報等の入力又は選択を受け付けて、表示画面上で種々の開催プログラム編成作業を実施することができ、完成した開催プログラムデータを印刷媒体として出力することができる。
【００２１】
＜開催プログラム編成装置のハード構成＞
開催プログラム編成装置１は、データの演算・制御処理装置としてのＣＰＵと、記憶装置としてのＲＯＭ、ＲＡＭ、及びＨＤＤ（ＳＳＤ）と、ホームネットワーク又はインターネットを通じて情報データの送受信を行う通信用インタフェースと、を備えたコンピュータである。
また、開催プログラム編成装置１は、所定の書式で表示される文字又は画像の情報を表示する表示装置と、ＣＰＵに所定の指令を入力するときユーザー入力操作される入力装置と、外付けハードディスク等の記憶媒体装置と、文字又は画像の情報を出力する印刷装置と、をさらに備えている。
なお、ユーザー端末１００についても同様のハード構成を備えたコンピュータである。
【００２２】
開催プログラム編成装置１のＲＯＭ、ＨＤＤ、及び外部記憶装置には、図２に示すように、コンピュータとして必要な機能を果たすメインプログラムに加えて、開催プログラム編成プログラムが記憶されており、これらプログラムがＣＰＵによって実行されることにより、開催プログラム編成装置１の機能が発揮されることになる。
【００２３】
＜開催プログラム編成装置のソフト構成＞
開催プログラム編成装置１は、図２に示すように、機能面から説明すると、「演題内容データ」、「セッション内容データ」、「タイムテーブルデータ」、「演題／カテゴリー対応データ」、「セッション／カテゴリー対応データ」等、各種プログラム及び各種データを記憶しておく記憶部１０と、演題リスト表示部１１と、セッションリスト表示部１２と、タイムテーブル表示部１３と、演題移動処理部１４と、事前重複判定部１５と、カテゴリー判定部１６と、セッション移動処理部１７と、重複判定部１８と、を主な構成要素として備えている。
これらは、ＣＰＵ、ＲＯＭ、ＲＡＭ、ＨＤＤ、通信用インタフェース、及び各種プログラム等によって構成されている。
【００２４】
なお、ユーザー端末１００についても機能面から説明すると、各種プログラム及び各種データを保持して格納しておく記憶部１１０と、開催プログラム編成装置１に向けて各種データを発信するデータ発信部１１１と、各種データを受信するデータ受信部１１２と、を主な構成要素として備えている。
【００２５】
記憶部１０に記憶される「演題内容データ」は、学会事務局の担当者によって登録された演題に関する詳細情報を示すデータであって、当該学会における全ての演題内容データが一元管理されて記憶されている。
当該演題内容データを参照することで、図３に示すように、ユーザー端末１００の表示画面（演題表示領域１０１）上に演題内容のリストを一覧表示させる機能や、図４に示すように、特定の検索キーワードの入力を受け付けて演題内容の検索機能を利用することができる。
詳しく述べると、演題内容データには、主に「カテゴリー」、「演題番号」、「タイトル」、「発表者」の情報が含まれているほか、「発表者の所属先」、「発表形式」、「投稿区分」、「言語の種類」、「査読平均点」の情報も含まれている。なお、「カテゴリー」とは、演題の演題テーマに基づいて分類される区分情報である。
図３の本実施例において表示画面の演題表示領域１０１を見ると、当該学会では合計１００件の演題内容（演題内容データ）が登録されてリスト表示されていることが分かる。具体的には、最上位にある演題内容データには、カテゴリー「分類Ａ（ユニオン）」、演題番号「Ｃ０１０」、タイトル「肘関節の機能」、発表者「アトラス一郎」の情報が設定されていることが分かる。
【００２６】
「セッション内容データ」は、複数の演題内容が集まって構成されるセッションに関する詳細情報を示すデータであって、全てのセッション内容データが一元管理されて記憶されている。
当該セッション内容データを参照することで、図３に示すように、ユーザー端末１００の表示画面（セッション表示領域１０２）上にセッション内容のリストを一覧表示させる機能や、図５に示すように、ユーザー操作による所定のセッション内容の選択を受け付けて、選択されたセッション内容の詳細情報をポップアップ表示する機能を利用することができる。
詳しく述べると、セッション内容データには、主に「セッション番号」、「タイトル」、「カテゴリー」、「発表形式」、「開催日時」及び「開催場所」の情報が含まれている。また、当該セッション内容に割り当てられた「座長」、「演題内容」の情報が含まれている。
図３の本実施例においてセッション表示領域１０２を見ると、合計４件のセッション内容（セッション内容データ）が登録されてリスト表示されていることが分かる。具体的には、最上位にあるセッション内容では、タイトル「シンポジウム３」の情報が設定されていることが分かる。
また、図５の本実施例を見ると、タイトル「シンポジウム３」のセッション内容に関する詳細情報が表示されている。具体的には、セッション番号「１−ＳＹ３」、カテゴリー「分類Ａ（ユニオン）」、発表形式「口頭」、座長「座長太郎」の情報が設定されており、また「２件」の演題内容が割り当てられていることが分かる。一方で、開催日時、開催場所の情報については設定されていないことが分かる。
【００２７】
「タイムテーブルデータ」は、セッション内容の開催場所と開催時間の対応関係を示すテーブルデータであって、所定の開催場所、開催時間において所定のセッション内容が割り当てられた情報が一元管理されたデータである。
当該タイムテーブルを参照することで、図３に示すように、表示画面（テーブル表示領域１０３）上にタイムテーブルを表示させる機能や、図７に示すように、ユーザー操作による所定のセッション内容の選択を受け付けて、選択されたセッション内容をタイムテーブル上で移動させる機能や、同じ開催時間における座長や発表者の重複チェック機能を利用することができる。
詳しく述べると、タイムテーブルデータには、その縦軸において「開催場所」の情報、その横軸において「開催時間」の情報が組み込まれており、複数の開催日に及ぶ場合には、「日付」の情報も組み込まれている。
図３の本実施例においてテーブル表示領域１０３を見ると、日付「２月１日」において開催場所「第１会場」、開催時間「０８：１０−０９：４０」には、セッション番号「１−ＳＹ１」、タイトル「シンポジウム１」の情報が設定されていることが分かる。
【００２８】
「演題／カテゴリー対応データ」は、学会の演題内容と、演題内容の演題テーマに基づいて付与されるカテゴリーとの対応関係を示すテーブルデータである。また「セッション／カテゴリー対応データ」は、セッション内容と、セッション内容に付与されるカテゴリーとの対応関係を示すテーブルデータである。
これら「演題／カテゴリー対応データ」、「セッション／カテゴリー対応データ」は、ユーザー操作による演題内容（セッション内容）の追加や削除、演題内容（セッション内容）に対するカテゴリー付与の入力を受け付けたときに、随時アップデートされるものであって、所定の演題内容（セッション内容）に対するカテゴリーの情報が一元管理されたデータである。
これらデータを参照することで、図４に示すように、所定のカテゴリーが付与された演題内容の検索機能や、図５に示すように、所定のセッション内容において異なるカテゴリーの演題内容が含まれていないかをチェックする機能を利用することができる。
【００２９】
演題リスト表示部１１は、図３に示すように、学会の演題内容のリストを、ユーザー端末１００の表示画面上において第１表示領域となる演題表示領域１０１に表示させるものである。
図３の本実施例を見ると、演題表示領域１０１上において複数の演題内容が上下方向に並べられて表示されており、それぞれ演題に関する詳細情報（カテゴリー、演題番号、タイトル、発表者の情報）が併せて表示されていることが分かる。
【００３０】
また、演題リスト表示部１１は、図４に示すように、ユーザー操作による所定のカテゴリーの選択を受け付けて、「演題／カテゴリー対応データ」を参照し、全ての演題内容の中から所定のカテゴリーが付与された演題内容を抽出した上で、抽出された演題内容のリストを演題表示領域１０１上に表示させることができる。
具体的には、図４に示す表示画面上において、まず、ユーザー操作による表示ボタン「詳細検索」の選択を受け付けて、検索ウィンドウをポップアップ表示させる。そして、当該検索ウィンドウ上において、ユーザ操作による所定のカテゴリーの選択を受け付けると、不図示の「演題／カテゴリー対応データ」を参照して、全ての演題内容の中から所定のカテゴリーが付与された演題内容を抽出した上で、抽出された演題内容のリストを演題表示領域１０１上に表示させる。
図４の本実施例を見ると、検索ウィンドウ上において検索項目「カテゴリー」のほか、検索項目「発表形式」、「投稿区分」が設定されていることが分かる。そして、検索項目「カテゴリー」では、「分類Ａ（ユニオン）」、「分類Ｂ（パブリック）」及び「分類Ｃ（教育・アウトリーチ）」等の分類が設定されていることが分かる。
上記において、例えば、発表形式「口頭」、投稿区分「どちらでも良い」、カテゴリー「分類Ａ（ユニオン）」が付与された演題内容が２０件登録されていた場合には、これら検索条件にて検索を実行したときに当該２０件の演題内容が抽出され、演題表示領域１０１上に表示されることとなる。
【００３１】
セッションリスト表示部１２は、図３に示すように、複数の演題内容が集まって構成されるセッション内容のリストを、表示画面上において第２表示領域となるセッション表示領域１０２に表示させるものである。
図３の本実施例を見ると、セッション表示領域１０２上において複数のセッション内容が上下方向に並べられていることが分かる。
また、セッションリスト表示部１２は、具体的な機能部として、セッション詳細提示部１２ａを有している。
【００３２】
セッション詳細提示部１２ａは、図５に示すように、セッション表示領域１０２において、ユーザー操作による所定のセッション内容の選択を受け付けて、選択された所定のセッション内容に含まれる演題内容の候補を表示画面上に提示するものである。
また、演題内容の候補を発表順に並べて提示するとともに、ユーザー操作によって選択された所定の演題内容の順番を入れ替えて提示することができる。
具体的には、図５に示す表示画面上において、まず、ユーザー操作によるセッション内容「シンポジウム３」の選択を受け付けて、セッション詳細ウィンドウをポップアップ表示させる。セッション詳細ウィンドウには、当該セッション内容に含まれる演題内容の候補が発表順に並べられて提示される。
そして、当該セッション詳細ウィンドウ上において、ユーザーによる「所定の演題内容の移動操作（ドラッグ＆ドロップ操作）」を受け付けることで、当該所定の演題内容の発表順を入れ替えて（並べ替えて）再度提示する。
図５の本実施例を見ると、セッション内容「シンポジウム３」において、当該セッション内容には、２つの演題内容のタイトル「肩関節の機能」、「股関節の機能」が発表順に並べて提示されていることが分かる。そして、演題内容「股関節の機能」の発表順が２番目から１番目に入れ替えられている（入れ替えられようとしている）ことが分かる。
【００３３】
タイムテーブル表示部１３は、セッション内容の開催場所と開催時間の対応関係を示すタイムテーブルを、表示画面上において第３表示領域となるテーブル表示領域１０３に表示させるものである。
図３の本実施例を見ると、テーブル表示領域１０３上において複数のセッション内容が割り当てられて表示されており、それぞれセッションに関する詳細情報（開催時間、セッション番号、タイトルの情報）が併せて表示されていることが分かる。
【００３４】
演題移動処理部１４は、ユーザー操作によって選択された所定の演題内容を表示画面上において演題表示領域１０１からセッション表示領域１０２に移動させて、当該セッション表示領域１０２に表示された所定のセッション内容に割り当てるものである。
具体的には、図６に示す表示画面上において、まず、演題表示領域１０１にリスト表示された複数の演題内容の中から、ユーザー操作による所定の演題内容「肘関節の機能」の選択を受け付ける。詳しく述べると、表示された演題内容「肘関節の機能」の所定位置（右上位置）に付与された表示ボタン「追加⇒」のユーザー選択を受け付ける。
そして、選択された当該演題内容を、演題表示領域１０１からセッション表示領域１０２に移動させて、セッション表示領域１０２にリスト表示された所定のセッション内容「シンポジウム３」に割り当てる。詳しく述べると、当該セッション内容のセッション詳細ウィンドウを予め表示させた上で、当該セッション内容に割り当てる。
図６の本実施例を見ると、ユーザー選択された演題内容「肘関節の機能」が、セッション内容「シンポジウム３」内において３番目の発表順で割り当てられていることが分かる。
【００３５】
また、演題移動処理部１４は、ユーザー操作によって選択された所定の演題内容をセッション表示領域１０２から演題表示領域１０１に戻すことができる。
具体的には、図６に示す表示画面上において、セッション表示領域１０２（セッション詳細ウィンドウ）にリスト表示された複数の演題内容の中から、ユーザー操作による所定の演題内容の選択を受け付ける。詳しく述べると、表示された所定の演題内容の所定位置（右上位置）に付与された表示ボタン「←戻す」のユーザー選択を受け付ける。
そして、選択された当該演題内容を演題表示領域１０１に戻して再度リスト表示させる。
上記構成により、演題移動処理部１４は、ユーザー操作による選択を受け付けて、演題表示領域１０１とセッション表示領域１０２の間で所定の演題内容を移動させることができる。
【００３６】
事前重複判定部１５は、所定の演題内容が所定のセッション内容に割り当てられたことをキーとして、当該セッション内容において座長又は発表者が重複して割り当てられていないか否かを判定するものである。
具体的には、図６に示すセッション詳細ウィンドウにおいて、所定の演題内容「肘関節の機能」がセッション内容「シンポジウム３」内に割り当てられたことをキーとして、当該セッション内容において座長又は発表者が重複していないか否かを判定する。
図６の本実施例を見ると、座長、演題内容「肩関節の機能」の発表者、「股関節の機能」の発表者及び「肘関節の機能」の発表者のいずれも重複していないことが分かる。
なお、事前重複判定部１５が、所定のセッション内容において座長又は発表者が重複して割り当てられていると判定した場合には、セッションリスト表示部１２が、当該判定の結果をユーザー報知する。ユーザー報知の内容としては、例えば、「セッション内容において重複した座長又は発表者がいます！」等のようなエラー内容をポップアップ表示した上で、該当する座長又は発表者を赤色の太枠で強調表示して喚起すると良い。
【００３７】
カテゴリー判定部１６は、所定の演題内容が所定のセッション内容に割り当てられたことをキーとして、当該セッション内容において異なるカテゴリーが付与された演題内容が含まれていないか否かを演題毎に判定するものである。
具体的には、図６に示すセッション詳細ウィンドウにおいて、所定の演題内容「肘関節の機能」がセッション内容「シンポジウム３」内に割り当てられたことをキーとして、当該セッション内容に含まれる３つの演題内容の中から、異なるカテゴリーが付与された演題内容がないか否かを判定する。
図６の本実施例を見ると、セッション内容「シンポジウム３」、演題内容「肩関節の機能」、「股関節の機能」及び「肘関節の機能」のいずれもカテゴリー「Ａ（ユニオン）」が付与されていること、すなわち、異なるカテゴリーが付与された演題内容が含まれていないことが分かる。
なお、カテゴリー判定部１６が、所定のセッション内容において異なるカテゴリーが付与された演題内容が含まれていると判定した場合には、セッションリスト表示部１２が、当該判定の結果をユーザー報知する。ユーザー報知の内容としては、例えば、「セッション内容に異なるカテゴリーの演題内容があります！」等のようなエラー内容をポップアップ表示した上で、該当する演題内容を赤色の太枠で強調表示して喚起すると良い。
【００３８】
セッション移動処理部１７は、ユーザー操作によって選択された所定のセッション内容をセッション表示領域１０２からテーブル表示領域１０３へ移動させて、テーブル表示領域１０３に表示されたタイムテーブル上の所定位置に割り当てるものである。
具体的には、図７に示す表示画面上において、まず、セッション表示領域１０２にリスト表示された複数のセッション内容の中から、ユーザー操作による所定のセッション内容「シンポジウム３」の選択を受け付ける。そして、ユーザーによる移動操作（ドラッグ＆ドロップ操作）を受け付けることで、選択された当該セッション内容をセッション表示領域１０２からテーブル表示領域１０３へ移動させる。詳しく述べると、テーブル表示領域１０３に表示されたタイムテーブル上の所定の開催場所（開催時間）に割り当てる。
図７の本実施例を見ると、ユーザー選択されたセッション内容「シンポジウム３」が、テーブル表示領域１０３に表示されたタイムテーブル上において、日付「２月１日」、開催場所「第４会場」、及び開催時間「１３：３０−１５：００」に割り当てられていることが分かる。
【００３９】
また、セッション移動処理部１７は、ユーザー操作によって選択された所定のセッション内容をテーブル表示領域１０３からセッション表示領域１０２に戻すことができる。
具体的には、図８に示す表示画面上において、テーブル表示領域１０３に割り当て表示された複数のセッション内容の中から、ユーザー操作による所定のセッション内容の選択を受け付ける。そして、ユーザーによる移動操作（ドラッグ＆ドロップ操作）を受け付けることで、選択された当該セッション内容をセッション表示領域１０２へ戻す。
上記構成により、セッション移動処理部１７は、ユーザー操作による選択を受け付けて、セッション表示領域１０２とテーブル表示領域１０３の間で所定のセッション内容を移動させることができる。
【００４０】
重複判定部１８は、所定のセッション内容がタイムテーブル上の所定位置に割り当てられたことをキーとして、同じ開催時間において同じ座長又は発表者が重複して割り当てられていないか否かを判定するものである。
具体的には、図７に示す表示画面上において、所定のセッション内容「シンポジウム３」がタイムテーブル上の開催場所「第４会場」、開催時間「１３：３０−１５：００」に割り当てられたことをキーとして、同じ開催時間において同じ座長又は発表者が重複して割り当てられていないか否かを判定する。
そして、同じ開催時間において同じ座長又は発表者が割り当てられていると判定された場合には、タイムテーブル表示部１３が表示画面上において当該判定の結果をユーザー報知する。
図７の本実施例を見ると、同じ開催時間においてセッション内容「シンポジウム３」とセッション内容「ランチョンＳ３（ランチョンセミナー３）」の座長が重複していることが判明したため、表示画面上にエラー内容「同じ開催時間において座長が重複しています！」がポップアップ表示され、かつ、該当するセッション内容が赤色の太枠で強調表示されていることが分かる。
【００４１】
上記において、エラー内容を解消したい場合には、例えば図７に示すように、セッション内容「シンポジウム３」をタイムテーブル上の開催場所「第２会場」、開催時間「１１：３０−１３：００」に移動させて再度割り当てると良い。このときに同じ開催時間において同じ座長又は発表者が割り当てられていないと判定されれば、エラー内容が解消されて表示されなくなる。
なお、「同じ開催時間において座長（発表者）が重複する」とは、同一の開催時間に座長が重複してしまうケースのほか、座長が開催場所を移動する時間を考慮した上で、次のセッション（演題）の開催時間までに間に合わないケースも含まれるものとする。
【００４２】
また、重複判定部１８は、同じ開催時間において同じカテゴリーが付与されたセッション内容が、異なる開催場所で重複して割り当てられているか否かをセッション毎に判定することもできる。
具体的には、図７に示す表示画面上において、所定のセッション内容「シンポジウム３」がタイムテーブル上の開催場所「第４会場」、開催時間「１３：３０−１５：００」に割り当てられたことをキーとして、同じ開催時間において同じカテゴリーが付与されたセッション内容が、異なる開催場所で重複して割り当てられているか否かを判定する。
例えば、セッション内容「シンポジウム３」とセッション内容「ランチョンＳ３」のカテゴリーが重複していることが判明した場合には、注意内容「同じ開催時間において同じカテゴリーのセッションがあります！」がポップアップ表示され、かつ、該当するセッション内容が赤色の太枠で強調表示されることとなる。このときに注意内容を解消したい場合には、該当するセッション内容の割り当て位置を変更すると良い。
【００４３】
＜開催プログラム編成プログラム＞
次に、開催プログラム編成装置１で実行される開催プログラム編成プログラムの処理について、図８に基づいて説明する。
本実施形態に係る上記プログラムは、記憶部１０を備えた開催プログラム編成装置１の機能的な構成要素として、上述した演題リスト表示部１１と、セッションリスト表示部１２と、タイムテーブル表示部１３と、演題移動処理部１４と、カテゴリー判定部１６と、セッション移動処理部１７と、重複判定部１８と、を実現させるために各種プログラムを集約させたユーティリティプログラムであって、開催プログラム編成装置１のＣＰＵがこの開催プログラム編成プログラムを実行する。
上記プログラムは、ユーザーからの操作指示を受け付けて実行されるものである。
なお、開催プログラム編成装置１の記憶部１０には、図３に示す「演題内容データ」、図５に示す「セッション内容データ」、図３に示す「タイムテーブルデータ」、不図示の「演題／カテゴリー対応データ」、「セッション／カテゴリー対応データ」が記憶されている。
【００４４】
図８に示す開催プログラム編成処理フローでは、まず、演題リスト表示部１１が、学会の演題内容のリストを、ユーザー端末１００の表示画面上において第１表示領域となる演題表示領域１０１に表示させるステップＳ１から始まる。
図３の本実施例を見ると、最上位にある演題内容には、カテゴリー「分類Ａ（ユニオン）」、演題番号「Ｃ０１０」、タイトル「肘関節の機能」、発表者「アトラス一郎」の情報が設定されていることが分かる。
【００４５】
次に、ステップＳ２で、演題移動処理部１４が、ユーザー操作によって選択された所定の演題内容を表示画面上において演題表示領域１０１からセッション表示領域１０２へ移動させる。
具体的には、図６に示すように、まず、演題表示領域１０１にリスト表示された複数の演題内容の中から、演題内容「肘関節の機能」の右上位置に付与された表示ボタン「追加⇒」のユーザー選択を受け付ける。
そして、選択された当該演題内容を、演題表示領域１０１からセッション表示領域１０２に移動させて、セッション表示領域１０２にリスト表示された所定のセッション内容「シンポジウム３」に割り当てる。詳しく述べると、当該セッション内容のセッション詳細ウィンドウを予め表示させた上で、当該セッション内容に割り当てる。
図６の本実施例を見ると、ユーザー選択された演題内容「肘関節の機能」が、セッション内容「シンポジウム３」内において３番目に割り当てられていることが分かる。
【００４６】
次に、ステップＳ３で、セッションリスト表示部１２が、移動させた所定の演題内容を含む、複数の演題内容が集まって構成されるセッション内容のリストを、第２表示領域となるセッション表示領域１０２に表示させる。
図３の本実施例を見ると、合計４件のセッション内容（セッション内容データ）が登録されてリスト表示されていることが分かる。また、最上位にあるセッション内容では、タイトル「シンポジウム３」の情報が設定されていることが分かる。
【００４７】
次に、ステップＳ４で、事前重複判定部１５が、所定の演題内容が演題表示領域１０１からセッション表示領域１０２へ移動し、所定のセッション内容に割り当てられたことをキーとして、当該セッション内容において座長又は発表者が重複して割り当てられていないか否かを判定する。
当該セッション内容において座長又は発表者が重複していないと判定した場合には、（ステップＳ４：Ｙｅｓ）、ステップＳ５に進む。一方で、座長又は発表者が重複していると判定した場合には、（ステップＳ４：Ｎо）、セッションリスト表示部１２が、当該判定の結果をユーザー報知して、座長又は発表者の再割り当てを行うように促した上で（ステップＳ６）、ステップＳ２に戻る。
図６の本実施例を見ると、座長、全ての演題内容における発表者のいずれも重複していないことが分かる。
【００４８】
次に、ステップＳ５で、カテゴリー判定部１６が、所定の演題内容が演題表示領域１０１からセッション表示領域１０２へ移動し、所定のセッション内容に割り当てられたことをキーとして、当該セッション内容において異なるカテゴリーが付与された演題内容が含まれていないか否かを演題毎に判定する。
当該セッション内容において異なるカテゴリーが付与された演題内容が含まれていないと判定した場合には、（ステップＳ５：Ｙｅｓ）、ステップＳ７に進む。一方で、異なるカテゴリーが付与された演題内容が含まれていると判定した場合には、（ステップＳ５：Ｎо）、セッションリスト表示部１２が、当該判定の結果をユーザー報知して、演題内容の再割り当てを行うように促した上で（ステップＳ６）、ステップＳ２に戻る。
図６の本実施例を見ると、演題内容「肩関節の機能」、「股関節の機能」及び「肘関節の機能」のいずれもカテゴリー「Ａ（ユニオン）」が付与されていること、すなわち、異なるカテゴリーが付与された演題内容が含まれていないことが分かる。
【００４９】
次に、ステップＳ７で、セッション移動処理部１７が、ユーザー操作によって選択された所定のセッション内容をセッション表示領域１０２からテーブル表示領域１０３へ移動させて、テーブル表示領域１０３に表示されたタイムテーブル上の所定位置に割り当てる。
図７の本実施例を見ると、ユーザー選択されたセッション内容「シンポジウム３」が、テーブル表示領域１０３に表示されたタイムテーブル上において、日付「２月１日」、開催場所「第４会場」、及び開催時間「１３：３０−１５：００」に割り当てられていることが分かる。
【００５０】
次に、ステップＳ８で、タイムテーブル表示部１３が、移動させた所定のセッション内容を含む複数のセッション内容を割り当てるための、セッション内容の開催場所と開催時間の対応関係を示すタイムテーブルを、テーブル表示領域１０３に表示させる。
図７の本実施例を見ると、テーブル表示領域１０３上において複数のセッション内容が割り当てられて表示されていることが分かる。また、ユーザー選択されたセッション内容「シンポジウム３」が、テーブル表示領域１０３に表示されたタイムテーブル上において、日付「２月１日」、開催場所「第４会場」、及び開催時間「１３：３０−１５：００」に割り当てられていることが分かる。
【００５１】
次に、ステップＳ９で、重複判定部１８が、所定のセッション内容がタイムテーブル上の所定位置に割り当てられたことをキーとして、同じ開催時間において同じ座長（発表者）や同じカテゴリーのセッション内容が重複して割り当てられていないか否かを判定する。
同じ開催時間において同じ座長（発表者）や同じカテゴリーのセッション内容が割り当てられていないと判定した場合には（ステップＳ９：Ｙｅｓ）、特にユーザー報知することなく図８のプロセスを終了する。一方で、同じ座長（発表者）や同じカテゴリーのセッション内容が割り当てられていると判定した場合には、（ステップＳ９：Ｎо）、タイムテーブル表示部１３が、当該判定の結果をユーザー報知して、セッション内容の再割り当てを行うように促した上で（ステップＳ１０）、ステップＳ７に戻る。
【００５２】
上記ステップＳ１からステップＳ１０を経て図８のプロセスを終了する。
上記の開催プログラム編成プログラムの構成により、学会における開催プログラムの編成にあたって、ユーザの直感的な操作に基づいて、ユーザーが効率良く編成作業を実施することができる。
【００５３】
＜その他の実施形態＞
上記実施形態では、図６に示すように、演題移動処理部１４が、演題表示領域１０１にリスト表示された演題内容「肘関節の機能」の右上位置に付与された表示ボタン「追加⇒」のユーザー選択を受け付けることで、演題表示領域１０１からセッション表示領域１０２に移動させているところ、特に限定されることなく変更可能である。
例えば、演題移動処理部１４が、ユーザーによる移動操作（ドラッグ＆ドロップ操作）を受け付けることで、選択された演題内容「肘関節の機能」を演題表示領域１０１からセッション表示領域１０２に表示されたセッション内容「シンポジウム３」に移動させても良い。
【００５４】
上記実施形態では、図５に示すように、セッション詳細提示部１２ａが、セッション表示領域１０２において所定のセッション内容のユーザー選択を受け付けて、選択された所定のセッション内容に含まれる演題内容の候補を表示画面上に提示しているところ、特に限定されることなく変更可能である。
例えば、セッション詳細提示部１２ａは、テーブル表示領域１０３において所定のセッション内容のユーザー選択を受け付けた場合においても、セッション内容に含まれる演題内容の候補を表示画面上に提示することとしても良い。
上記構成であれば、どのタイミングであっても図５に示すセッション詳細ウィンドウをポップアップ表示させることができ、演題内容の割り当て、座長や発表者の割り当てを随時行うことができる。
【００５５】
上記実施形態では、図６に示すように、カテゴリー判定部１６が、所定の演題内容が所定のセッション内容に割り当てられたことをキーとして、当該セッション内容において異なるカテゴリーが付与された演題内容が含まれているか否かを判定し、そのような演題内容が含まれていると判定した場合には、セッションリスト表示部１２が当該判定の結果をユーザー報知するところ、特に限定されることなく変更可能である。
例えば、図５に示すように、セッション詳細提示部１２ａが、ユーザー選択された所定のセッション内容に含まれる演題内容の候補を表示画面上に提示したことをキーとして、演題リスト表示部１１が、当該セッション内容のカテゴリーと同じカテゴリーが付与された演題内容のみを抽出し、当該演題内容のリストを演題表示領域１０１上に表示させることとしても良い。
上記構成であれば、当該セッション内容において異なるカテゴリーが付与された演題内容が割り当てられることがないため、カテゴリー判定部１６を不要とすることもできる。
【００５６】
上記実施形態では、開催プログラム編成装置１が読み取り可能な記録媒体に開催プログラム編成プログラムが記憶されており、開催プログラム編成装置１が当該プログラムを読み出して実行することによって処理が実行される。ここで開催プログラム編成装置１が読み取り可能な記録媒体とは、磁気ディスク、光磁気ディスク、ＣＤ−ＲＯＭ、ＤＶＤ−ＲＯＭ、半導体メモリ等をいう。また、この開催プログラム編成プログラムを通信回線によってユーザー端末１００に配信し、この配信を受けたユーザー端末１００が当該プログラムを実行するように構成しても良い。
【００５７】
上記実施形態では、図１に示すように、開催プログラム編成装置１が、ネットワークを介して接続されるユーザー端末１００に対して、ソフトウェアサービスを提供するクラウドサーバーとなっているが、特に限定されることなく変更可能である。
具体的には、ユーザー端末に開催プログラム編成プログラムを直接インストールさせて、ユーザー端末自身が、開催プログラム編成装置として機能し、自身の表示画面上にプログラム編成画面を表示させることで、開催プログラムの編成を支援する構成にしても良い。
【００５８】
上記実施形態では、主として本発明に係る開催プログラム編成装置、開催プログラム編成方法及び開催プログラム編成プログラムに関して説明した。
ただし、上記の実施形態は、本発明の理解を容易にするための一例に過ぎず、本発明を限定するものではない。本発明は、その趣旨を逸脱することなく、変更、改良され得ると共に、本発明にはその等価物が含まれることは勿論である。
【符号の説明】
【００５９】
Ｓ  開催プログラム編成システム
１  開催プログラム編成装置
１０  記憶部
１１  演題リスト表示部
１２  セッションリスト表示部
１２ａ  セッション詳細提示部
１３  タイムテーブル表示部
１４  演題移動処理部
１５  事前重複判定部
１６  カテゴリー判定部
１７  セッション移動処理部
１８  重複判定部
１００  ユーザー端末
１０１  演題表示領域（第１表示領域）
１０２  セッション表示領域（第２表示領域）
１０３  テーブル表示領域（第３表示領域）
１１０  記憶部
１１１  データ発信部
１１２  データ受信部
【図１】
2020140404.tif 000003
【図２】
2020140404.tif 000004
【図３】
2020140404.tif 000005
【図４】
2020140404.tif 000006
【図５】
2020140404.tif 000007
【図６】
2020140404.tif 000008
【図７】
2020140404.tif 000009
【図８】
2020140404.tif 000010